(57)【要約】【課題】大気中の粉塵や虫の室内への侵入を防ぎ、雨水の室内への侵入を軽減することができる屋外フードを提供することを目的とする。【解決手段】室内と屋外を連通して壁面に開口された換気口１の屋外側に設けられ、内部に形成した通風路５ａを介して、換気口１と連通する開口を下方に備えたフード部５と、通風路５ａをふさぐようにフード部５の内部に設けられ、虫、塵、または雨水の侵入を防ぐためのフィルター部材１４とを備え、フィルター部材１４はその頂部を下方に向けてＶ字状に配設される構成とすることにより、大気中の粉塵や虫の室内への侵入を防ぎ、雨水の室内への侵入を軽減することができる屋外フードを提供することができる。【選択図】図１ 
2005155991.tif 000002
【特許請求の範囲】
【請求項１】
室内と屋外を連通して壁面に開口された換気口の屋外側に設けられ、内部に形成した通風路を介して、前記換気口と連通する開口を下方に備えたフード部と、前記通風路をふさぐように前記フード部の内部に設けられ、虫、塵、または雨水の侵入を防ぐためのフィルター部材とを備え、前記フィルター部材はその頂部を下方に向けてＶ字状に配設されることを特徴とする屋外フード。
【請求項２】
室内と屋外を連通して壁面に開口された換気口の屋外側に設けられ、内部に形成した通風路を介して、前記換気口と連通する開口を下方に備えたフード部と、前記通風路をふさぐように前記フード部の内部に設けられ、虫、塵、または雨水の侵入を防ぐためにＶ字形状に形成したフィルター部材とを備え、前記フィルター部材はその頂部を下方に向けて配置されることを特徴とする屋外フード。
【請求項３】
Ｖ字形状を少なくとも２つ以上形成するように前記フィルター部材を並べて配列させることを特徴とする請求項１または２に記載の屋外フード。
【請求項４】
前記フード部の内部ではなく、前記フード部の下方に設けた延長フード内に前記フィルター部材を備えたことを特徴とする請求項１または２に記載の屋外フード。
【発明の詳細な説明】
【技術分野】
【０００１】
本発明は、室壁に設けられた換気口等の屋外側に設けることによって、室内への雨水などの侵入を軽減する屋外フードに関する。
【背景技術】
【０００２】
従来、この種の屋外フードは、大気中の粉塵や虫などの室内への侵入を防ぐために内部の通風路の下端にフィルターを配置したものが知られている（例えば、特許文献１参照）。
【０００３】
以下、その屋外フードについて図４を参照しながら説明する。
【０００４】
図４に示すように、一般に換気をするために、室内と屋外を連通し、壁面に開口された換気口１０１の屋外側に設けられ、内部に形成した通風路１１３を介して、換気口１０１と連通する開口を下方に備えたフード１０５と、通風路１１３をふさぐようにフード１０５の下方内部に水平に設けた虫、塵、または雨水の侵入を防ぐためのフィルター部材１１４とを備え屋外フードを構成していた。
【特許文献１】特開平０４−３４３９４８号公報
【発明の開示】
【発明が解決しようとする課題】
【０００５】
このような従来の屋外フードでは、フィルター部材１１４の形状は平板状でありフード１０５の形状によって面積が制限されるため、所定の換気風量に対して、フィルター部材１１４における面風速が大きくなり、虫、塵、または雨水がフィルター部材１１４を通過しやすくそれらが室内に侵入してしまうという課題があった。また、フィルター部材１１４を水平に備えているため、降水時には雨水がフィルター部材１１４に溜まりやすく、フィルター部材１１４を通過する風速に引っ張られて雨水が室内に侵入しやすいという課題があった。
【０００６】
本発明は、このような従来の課題を解決するものであり、大気中の粉塵や虫の室内への侵入と、雨水の室内への侵入を軽減することができる屋外フードを提供することを目的としている。
【課題を解決するための手段】
【０００７】
本発明の屋外フードは上記目的を達成するために、室内と屋外を連通して壁面に開口された換気口の屋外側に設けられ、内部に形成した通風路を介して、前記換気口と連通する開口を下方に備えたフード部と、前記通風路をふさぐように前記フード部の内部に設けられ、虫、塵、または雨水の侵入を防ぐためのフィルター部材とを備え、前記フィルター部材はその頂部を下方に向けてＶ字状に配設されるものである。
【０００８】
また、室内と屋外を連通して壁面に開口された換気口の屋外側に設けられ、内部に形成した通風路を介して、前記換気口と連通する開口を下方に備えたフード部と、前記通風路をふさぐように前記フード部の内部に設けられ、虫、塵、または雨水の侵入を防ぐためにＶ字形状に形成したフィルター部材とを備え、前記フィルター部材はその頂部を下方に向けて配置されるものである。
【０００９】
また、Ｖ字形状を少なくとも２つ以上形成するように前記フィルター部材を並べて配列させたものである。
【００１０】
また、前記フード部の内部ではなく、前記フード部の下方に設けた延長フード内に前記フィルター部材を備えたものである。
【００１１】
本発明によれば、大気中の粉塵や虫の室内への侵入を防ぎ、雨水の室内への侵入を軽減することができる屋外フードが得られる。
【発明の効果】
【００１２】
本発明によれば、大気中の粉塵や虫の室内への侵入を防ぎ、雨水の室内への侵入を軽減することができる屋外フードを提供することができる。
【発明を実施するための最良の形態】
【００１３】
本発明の請求項１記載の屋外フードの発明は、室内と屋外を連通して壁面に開口された換気口の屋外側に設けられ、内部に形成した通風路を介して、前記換気口と連通する開口を下方に備えたフード部と、前記通風路をふさぐように前記フード部の内部に設けられ、虫、塵、または雨水の侵入を防ぐためのフィルター部材とを備え、前記フィルター部材はその頂部を下方に向けてＶ字状に配設されたことにより、フィルター部材に付着した雨水は流下して頂部から落下するので雨水がフィルター部材にたまらないという作用を有し、また、Ｖ字状に配置されたフィルター部材によってフィルター面に対する面風速を小さくすることができるので虫、塵、雨水がフード内に引き込まれにくいという作用を有する。
【００１４】
また、請求項２記載の発明は、室内と屋外を連通して壁面に開口された換気口の屋外側に設けられ、内部に形成した通風路を介して、前記換気口と連通する開口を下方に備えたフード部と、前記通風路をふさぐように前記フード部の内部に設けられ、虫、塵、または雨水の侵入を防ぐためにＶ字形状に形成したフィルター部材とを備え、前記フィルター部材はその頂部を下方に向けて配置されることにより、Ｖ字状のフィルター部材を一体的に構成したので、部品点数を削減できるとともに、フィルターの掃除性が良化してメンテナンス性が向上するという作用を有する。
【００１５】
また、請求項３記載の発明は、請求項１または２に記載の屋外フードに、Ｖ字形状を少なくとも２つ以上形成するように前記フィルター部材を並べて配列させることにより、屋外フードにＶ字状に配置されたフィルター部材を内部の通風路に並列に設けたものであり、並列に少なくとも２つ以上配置されたＶ字状のフィルター部材によって、フィルター部材の表面積を増加させて面風速をさらに小さくすることができるので、虫、塵、雨水がフード内に引き込まれにくいという作用を有する。
【００１６】
また、請求項４記載の発明は、請求項１または２に記載の屋外フードに、前記フード部の内部ではなく、前記フード部の下方に設けた延長フード内に前記フィルター部材を備えたことにより、フィルター部材の着脱が容易となり、メンテナンス性が向上するという作用を有する。
【００１７】
以下、本発明の実施の形態について図面を参照しながら説明する。
【００１８】
（実施の形態１）
図１に示すように、屋外と室内を連通するべく壁面に開口された換気口１の室内側に換気扇２を取り付ける。本発明の屋外フードは、室内と屋外を連通して壁面に開口された換気口１の屋外側に設けられ、内部に形成した通風路５ａを介して、換気口１と連通する開口を下方に備えたフード部５と、通風路５ａをふさぐようにフード部５の内部に設けられ、虫、塵、または雨水の侵入を防ぐためのフィルター部材１４とを備え、フィルター部材１４はその頂部を下方に向けてＶ字状に配設される。また、屋外側に設置され、内部に通風路を有したダンパー取付枠３と、このダンパー取付枠３の屋外側上部に、その上端部を回動自在に支持させて前記通風路を開閉するダンパー板４と、このダンパー板４を覆うとともに屋外側に延長してその下面を開口し、ダンパー取付枠３に取着されるフード部５と、ダンパー板４に設置され内部にプーリー７を有し、ダンパー板４を開閉するための駆動機８と、ダンパー取付枠３の上部に屋外側へ突設されフード部５の内面に固定される補助板１０とを設け構成する。この補助板１０の端部に枢設される平板状の突張板１１の他端にダンパー押さえ棒１２を枢設するとともに、駆動機８のプーリー７により巻き上げられるように補助板１０に設けた支持部９により途中でその引っ張り方向を変更させるワイヤー６を突張板１１の中ほどに係止する。また、フード部５の下面に取着され内部に通風路５ａと連通する風路を有し下面の開口した延長フード１３と、この延長フード１３の風路に内設し、Ｖ字状に配設されたフィルター部材１４とを備え、フィルター部材１４はフィルター固定金具１５でＶ字形状を保った状態で固定されている。
【００１９】
上記構成において、換気扇２に通電されると、同時に駆動機８が駆動され結合されたプーリー７が回転してワイヤー６を巻き取り、ワイヤー６が係止された突張板１１を引き上げることにより、突張板１１に枢設されたダンパー押さえ棒１２も引き上げられ、ダンパーを押さえる機構が解除され、さらにプーリー７が回転してワイヤー６を巻き取ることにより、ダンパー板４は駆動機８とともに引き上げられ、ダンパー板４が開く。そして、換気扇２が運転することにより、延長フード１３の下面開口より外気が吸い込まれ、延長フード１３の風路に内設されＶ字状に配置されたフィルター部材１４を通って、フード部５内部の通風路５ａ、ダンパー取付枠３の通風路を順に通過して、室内側に給気されることになる。
【００２０】
本発明によれば、フィルター部材１４がＶ字状に配置されているため、フィルター部材１４の面積を大きくすることができる。所定の換気風量を得る場合、フィルター部材１４の面積を大きくすることができるということは、フィルター部材１４を通過する面風速を小さくすることができることになり、
また、フィルター部材１４がＶ字状に配設され、その頂部を下方に向けて設置すること
により、換気扇２によって吸い上げられた雨水がフィルター部材１４に溜まらず、フィルター部材１４の表面から下方に流れ落ち、Ｖ字状の頂部から落下するので、フィルター部材１４に雨水が滞留せず室内への雨水の侵入を抑えることができる。
【００２１】
フード部５の内部ではなく、フード部５の下方に設けた延長フード１３内にフィルター部材１４を備えたことにより、フィルター部材の着脱が容易となり、メンテナンス性が向上するという作用を有する
（実施の形態２）
図２に示すように、室内と屋外を連通して壁面に開口された換気口１の屋外側に設けられ、内部に形成した通風路５ａを介して、換気口１と連通する開口を下方に備えたフード部５と、通風路５ａをふさぐようにフード部５の内部に設けられ、虫、塵、または雨水の侵入を防ぐためにＶ字形状に形成したフィルター部材２４とを備え、フィルター部材２４はその頂部を下方に向けて配置される構成とする。なお、その他の構成については実施の形態１と同様であり、図面において同一符号は同一構成要素であるので、それらの説明は省略する。
【００２２】
上記構成において、Ｖ字形状に形成したフィルター部材２４はその頂部を下方に向けて配置されるため、フィルター部材２４を１つの部品とすることができる。
【００２３】
本発明によれば、Ｖ字状のフィルター部材を一体的に構成したので、部品点数を削減できるとともに、フィルターの掃除性が良化してメンテナンス性が向上することとなる。
【００２４】
（実施の形態３）
図３に示すように、延長フード１３内にＶ字形状を２つ形成するようにフィルター部材３４を並べて配列させる構成とする。なお、その他の構成については実施の形態１と同様であり、図面において同一符号は同一構成要素であるので、それらの説明は省略する。
【００２５】
上記構成において、換気扇２に通電されると、同時に駆動機８が駆動され結合されたプーリー７が回転してワイヤー６を巻き取り、ワイヤー６が係止された突張板１１を引き上げることにより、突張板１１に枢設されたダンパー押さえ棒１２も引き上げられ、ダンパーを押さえる機構が解除され、さらにプーリー７が回転してワイヤー６を巻き取ることにより、ダンパー板４は駆動機８とともに引き上げられ、ダンパー板４が開く。そして、換気扇２が運転することにより、延長フード１３の下面開口より外気が吸い込まれ、延長フード１３の通風路に内設されＶ字状に配置されたフィルター部材３４と、フード部５、ダンパー取付枠３の通風路を通過し、室内側に給気される。
【００２６】
本発明によれば、フィルター部材３４がＶ字状に並列に配置されているため、フィルターの表面積をさらに大きくすることができる。所定の換気風量を得る場合、フィルターの面積をかなり大きくすることができるということは、フィルター部材３４を通過する面風速をかなり小さくすることができることと同じであり、このため、虫、塵、雨水がフード内に引き込まれにくい。
【００２７】
また、フィルター部材３４がＶ字状に配置され、その頂部を下方に向けて設置すること
により、換気扇２によって吸い上げられた雨水がフィルター部材３４に溜まらず、下方に流れ落ちるため、雨水の侵入を抑えることができる。
【００２８】
また、フード部５の内部ではなく、フード部５の下方に設けた延長フード１３内にフィルター部材３４を備えたことにより、フィルター部材の着脱が容易となり、メンテナンス性が向上することになる。
【産業上の利用可能性】
【００２９】
本発明の屋外フードは、室内への雨水の侵入を軽減できる屋外に設置するフード等の用途として有用である。
【図面の簡単な説明】
【００３０】
【図１】本発明の実施の形態１の屋外フードを示す側面図
【図２】本発明の実施の形態２の屋外フードを示す側面図
【図３】本発明の実施の形態３の屋外フードを示す側面図
【図４】従来の屋外フードを示す側面図
【符号の説明】
【００３１】
１      換気口
２      換気扇
５      フード部
５ａ    通風路
１３    延長フード
１４    フィルター部材
２４    フィルター部材
３４    フィルター部材
【図１】
2005155991.tif 000003
【図２】
2005155991.tif 000004
【図３】
2005155991.tif 000005
【図４】
2005155991.tif 000006